(57)【要約】【課題】真空引き装置の接続が簡単で、真空引き作業を反復する場合にも手間がかからない液化ガス容器のための真空引き用継手を提供することを課題とする。【解決手段】容器の上面に固定される台座１と、台座１にネジ付け固定される本体ユニット２とから成り、本体ユニット２に真空引き装置を接続可能にして成る。台座１は本体ユニット２をネジ付けるためのメネジ筒３を備え、メネジ筒３の内底面にはエア抜き孔５が透設され、本体ユニット２の下部には、メネジ筒３にネジ付けるためのオネジが形成され、本体ユニット２にはその上面からケレップ収納部８が凹設されてそこにケレップ９が装填されると共に操作ハンドル１０が設置され、ケレップ収納部８の底面から本体ユニット２の下面に抜けるエア抜き路１２が貫設され、本体ユニット２の側面にケレップ収納部８に連通する真空引き装置の継手取付孔１３が形成される。【選択図】図２
0003104534.tif 000002
【実用新案登録請求の範囲】
【請求項１】
容器の上面に固定される台座と、前記台座にネジ付け固定される本体ユニットとから成り、前記本体ユニットに真空引き装置を接続可能にして成る液化ガス容器のための真空引き用継手。
【請求項２】
容器の上面に固定される台座と、前記台座にネジ付け固定される本体ユニットとから成り、前記台座は前記本体ユニットをネジ付けるためのメネジ筒を備え、前記メネジ筒の内底面にはエア抜き孔が透設され、前記本体ユニットの下部には、前記メネジ筒にネジ付けるためのオネジが形成され、前記本体ユニットにはその上面からケレップ収納部が凹設されてそこにケレップが装填されると共に操作ハンドルが設置され、前記ケレップ収納部の底面から前記本体ユニットの下面に抜けるエア抜き路が貫設され、前記本体ユニットの側面に前記ケレップ収納部に連通する真空引き装置の継手取付孔が形成されたことを特徴とする液化ガス容器のための真空引き用継手。
【考案の詳細な説明】
【技術分野】
【０００１】
本考案は液化ガス容器のための真空引き用継手、より詳細には、内槽と外槽より成る二重殻構造で、内外槽間が真空断熱層とされる液化ガス容器において、その真空断熱層内の真空引きを行なう際に用いる液化ガス容器のための真空引き用継手に関するものである。
【背景技術】
【０００２】
ＬＧＣ等の液化ガス容器２１は、液化ガスの蒸発を極小にするために断熱性を持たせる必要がある。そのために容器は、内槽２２と外槽２３より成る二重殻構造とされ、内外槽間の空間が真空断熱層２４とされる（図３）。
【０００３】
この真空断熱層２４の真空引き作業のために、容器２１の上面の真空引き用開口を封止している栓２５を外して、真空引き装置の取付用加工を施した銅なまし管２６を、ハンダ付け等により固定する（図４（Ａ））。そして、銅なまり管２６に、真空引き装置から延びるチューブ２７の継手２８を接続し（図４（Ｂ）、（Ｃ））、真空引き作業を行なう。
【０００４】
真空引き作業終了後、銅なまし管２６の中間部を圧接して潰し（図４（Ｄ））、圧接部２９を切断しながら、切断面をハンダ付け等により封止する（図４（Ｅ））。そして、再度真空引き作業を行なう場合は、残存する銅なまし管２６を圧接部２９以下も含めて除去し、以上の作業を反復する。
【考案の開示】
【考案が解決しようとする課題】
【０００５】
このように従来の真空引き作業は手間のかかるものであり、その改善が求められるところであった。そこで本考案は、真空引き装置の接続が簡単で、真空引き作業を反復する場合にも手間がかからない液化ガス容器のための真空引き用継手を提供することを課題とする。
【課題を解決するための手段】
【０００６】
本考案は、容器の上面に固定される台座と、前記台座にネジ付け固定される本体ユニットとから成り、前記本体ユニットに真空引き装置を接続可能にして成る液化ガス容器のための真空引き用継手、を以て上記課題を解決した。
【０００７】
好ましくは、前記台座は前記本体ユニットをネジ付けるためのメネジ筒を備え、前記メネジ筒の内底面にはエア抜き孔が透設され、前記本体ユニットの下部には、前記メネジ筒にネジ付けるためのオネジが形成され、前記本体ユニットにはその上面からケレップ収納部が凹設されてそこにケレップが装填されると共に操作ハンドルが設置され、前記ケレップ収納部の底面から前記本体ユニットの下面に抜けるエア抜き路が貫設され、前記本体ユニットの側面に前記ケレップ収納部に連通する真空引き装置の継手取付孔が形成される。
【考案の効果】
【０００８】
本考案に係る液化ガス容器のための真空引き用継手によれば、真空引き装置の接続が容易で、真空引き作業を効率よく、しかも低コストにて行ない得る効果がある。
また、真空引き装置を取り外した後に止栓可能で、繰返して真空引き作業を行なうのに至便なる効果がある。
【考案を実施するための最良の形態】
【０００９】
本考案を実施するための好ましい形態につき、図面に依拠して説明する。本考案に係る真空引き継手は、容器の上面に固定される台座１と、台座１にネジ付け固定される本体ユニット２とから成り、本体ユニット２に真空引き装置が接続可能に構成される。
【００１０】
台座１は本体ユニット２をネジ付けるためのメネジ筒３を備え、このメネジ筒３の内底面にパッキン４が配設され、その内底面からパッキン４にかけてエア抜き孔５が透設される。
【００１１】
本体ユニット２の下部外周面には、メネジ筒３にネジ込むためのオネジ６が形成され、そこにロックナット７がネジ付けられる。また、本体ユニット２には、その上面からケレップ収納部８が凹設され、そこにケレップ９が装填され、更にそこに上方から操作ハンドル１０がネジ込まれる。操作ハンドル１０の底面には、ケレップ９の上面の溝に係合するスピンドル１１が突設される。スピンドル１１をケレップ９上面の溝に係合させて操作ハンドル１０を回転させることにより、ケレップ９を上下動させることができる。
【００１２】
ケレップ収納部８の底面から本体ユニット２の下面に抜けるエア抜き路１２が貫設され、また、本体ユニット２の側面に、ケレップ収納部８に連通する真空引き装置の継手取付孔１３が形成される。
【００１３】
真空引き作業後操作ハンドル１０を取り外した際は、そこにプラグ１４をネジ込んでその部分を密閉し、また、真空引き作業後真空引き装置の継手を継手取付孔１３から外した際には、そこにプラグ１５をネジ込んでその部分を密閉する。
【００１４】
上記構成において、真空引き作業を行う場合は、プラグ１５を外してそこに真空引き装置の継手を接続し、また、プラグ１４を外してそこに操作ハンドル１０をネジ込む。かくして操作ハンドル１０を回してケレップ９を上昇させ、エア抜き路１２と継手取付孔１３を連通させ、その状態において真空引き装置を駆動して真空引き作業を行なう。
【００１５】
その作業終了後、操作ハンドル１０を逆回転してケレップ９を下降させてエア抜き路１２を封止し、真空引き装置及び操作ハンドル１０を外し、それぞれプラグ１４、１５で止栓する。再度真空引き作業を行なう場合は、以上の操作をくり返せばよい。
【００１６】
この考案をある程度詳細にその最も好ましい実施形態について説明してきたが、この考案の精神と範囲に反することなしに広範に異なる実施形態を構成することができることは明白なので、この考案は添付請求の範囲において限定した以外はその特定の実施形態に制約されるものではない。
【図面の簡単な説明】
【００１７】
【図１】本考案に係る真空引き用継手の構成を示す正面図である。
【図２】本考案に係る真空引き用継手の構成を示す縦断面図である。
【図３】従来の液化ガス容器の構成図である。
【図４】従来の真空引き方法を示す作業工程図である。
【符号の説明】
【００１８】
１    台座
２    本体ユニット
３    メネジ筒
４    パッキン
５    エア抜き孔
６    オネジ
７    ロックナット
８    ケレップ収納部
９    ケレップ
１０    操作ハンドル
１１    スピンドル
１２    エア抜き路
１３    継手取付孔
１４    プラグ
１５    プラグ
【図１】
0003104534.tif 000003
【図２】
0003104534.tif 000004
【図３】
0003104534.tif 000005
【図４】
0003104534.tif 000006